(57)【特許請求の範囲】
【請求項１】
陽極と陰極との間にある電解質膜と、この陰極及び陽極に配置された各１つの多孔質膜とを備えた高分子電解質膜燃料電池において、陰極側に、液体バリヤとして機能し、かつ陽極側の膜より小さい孔サイズを持つ疎水性の膜が配置され、反応水が陽極を通して排出されることを特徴とする高分子電解質膜燃料電池における反応水の排出方法。
【請求項２】
陽極と、陰極と、この陽極と陰極との間の電解質膜と、この陽極及び陰極に配置された各１つの多孔質の導電性膜とを備え、この陰極側の膜が疎水性であり、少なくともその表面に陽極側の膜より小さい孔サイズを持っている、請求項１の方法を実施するための高分子電解質膜燃料電池。
【請求項３】
陰極側の膜がこの陰極に接する表面に陽極側の膜より小さい孔サイズを持つことを特徴とする請求項２に記載の高分子電解質膜燃料電池。
【請求項４】
陰極側の膜が炭素のエーロゲル或いはキセロゲルからなることを特徴とする請求項２又は３に記載の高分子電解質膜燃料電池。
【請求項５】
エーロゲルもしくはキセロゲルの膜が、有機又は無機材料からなる支持骨組みを備えていることを特徴とする請求項４に記載の高分子電解質膜燃料電池。
【請求項６】
有機材料が、多孔質の膜並びに可撓性の繊維フリース及び繊維織布の形のセルローズ、ポリアミド、ポリエステル及びフェノール樹脂であることを特徴とする請求項５に記載の高分子電解質膜燃料電池。
【請求項７】
無機材料が、炭素、酸化アルミニウム、二酸化ジルコニウム或いは二酸化ケイ素の繊維であることを特徴とする請求項５に記載の高分子電解質膜燃料電池。
【請求項８】
陽極側の膜が多孔質のカーボンペーパーからなることを特徴とする請求項２乃至７の１つに記載の高分子電解質膜燃料電池。
【発明の詳細な説明】
【０００１】
この発明は、高分子電解質膜燃料電池における反応水の排出方法並びにこの方法を実施するための高分子電解質膜燃料電池に関する。
【０００２】
燃料電池の動作の際に、即ち、水素（Ｈ2）が酸素（Ｏ2）と電気化学的に反応する際に、水（Ｈ2Ｏ）が発生する。陽イオン交換膜が電解質として使用されるいわゆるＰＥＭ（高分子電解質膜）燃料電池において、陽極に水素の酸化により、生ずる陽子（Ｈ+）はこの膜を通して浸透し、陰極でそこに生じているＯ2-イオンとで水を形成する。この反応水は、水管理に影響を与えず、一定に保つために、燃料電池から除去されねばならない。
【０００３】
反応水をＰＥＭ燃料電池から排出するために以下の種々の方法が公知である。
・陰極側における排出（液状）
反応ガスは運転温度、例えば約６０〜８０℃で完全に加湿される（飽和濃度）。反応水はそのとき液状になり、ガス余剰（移送ガス）と共に陰極ガス空間から排出される（例えば、第２６回国際協会エネルギー変換エンジニアリング会議の議事録、ボストン、ＭＡ、１９９１年８月４日〜９日、第３巻、６３０〜６３５頁参照、この文献にＰＥＭ燃料電池の原理的構造が出ている）。反応ガスとして空気を使用する場合には移送ガスは不活性ガス成分の窒素（Ｎ2）である。この方法の欠点は、反応ガスの加湿が比較的高価であることにある。
・陰極側における排出（部分的にもしくは完全に蒸気状）
反応ガスは全く或いは一部しか加湿されないので、反応水は少なくとも部分的に蒸気で排出される（例えばヨーロッパ特許第０５６７４９９号明細書参照）。このような運転コンセプトは電解質膜に機械的安定性及び導通性に関して一定の要件を課している。比較的高い運転圧を持つシステムにおいては、反応水を膨張段階で蒸気相に変換して、燃料電池から除去することが可能である。このような方法は従って非常にコストがかかる。
・陽極側における排出
反応水を陽極側で排出する運転コンセプトは陰極と陽極の間の（反応剤の）圧力差で動作する（例えば米国特許明細書第５３６６８１８号参照）。その場合、反応水は陰極側における高いガス圧、例えば２バールの水素に対して４バールの空気で、陽極側に押圧されて、そこで余剰水素と共に燃料電池から除去される。（陰極側における）高い圧力の設定は、しかし、圧縮のためにエネルギーを必要とし、このエネルギーは燃料電池から供給されねばならないから、非常に不利である。
【０００４】
この発明の課題は、陰極及び陽極に配置された各１つの多孔質膜を備えたＰＥＭ燃料電池において、反応ガスの加湿を必要とせず、また高いガス圧も必要としないように、反応水の排出を行うことにある。
【０００５】
この課題は、この発明によれば、陰極側に陽極側の膜よりも小さい孔サイズを持つ疎水性の膜が使用され、反応水がこの陽極を通して排出されることにより解決される。
【０００６】
この発明は、それ故、ガスの加湿が行われることなく、そして高い圧力を必要とすることがないという利点を備えた、陽極側における反応水の排出であり、そのために陰極側にいわゆるガス透過膜が設けられる。このガス透過膜はガス透過性であるが、しかしながら液状の水に対しては非透過性である。燃料電池の運転の際に、負荷に応じて、常に水は液状に形成されるから、燃料電池セル内の内圧は陰極側において上昇し、反応水は電極膜を通して陽極に、そしてその陽極を通して押圧され、そこから余剰の反応ガス流と共に離れ、即ち燃料電池から移送される。陽極側における反応ガスの加湿はしかし基本的には行われる必要はない。これは、例えば、水を移送する反応ガスが循環して導かれる場合である。
【０００７】
この発明によるコンセプトは以下の利点を持つ。
１．陰極ガス（酸化剤）、即ち空気或いは酸素は加湿される必要はない。即ち、この陰極ガスは燃料電池に乾燥して供給されるので、電解質膜が乾燥したり、損傷を受けたりすることがない。
２．陽極ガス、即ち水素も同様に加湿される必要はない。反応水全体は陽極に移送され、そこで充分な湿度を与えられるからである。運転中の乾燥はそれ故に発生しない。
３．ＰＥＭ燃料電池における水管理を制御する際に陰極側に生ずる問題はこの発明による方法においては、水の排出が的確に陽極側において行われることにより解決される。このことは、多孔質のガス透過膜内の水滴により陰極には酸素の触媒膜への拡散を阻止する不活性ガスクッション（Ｎ2）が形成されない、ことを意味する。
４．有効な圧力上昇は内部の阻止膜により達成される。このことは、このシステムが反応ガス圧に無関係に機能することを意味する。外部で例えば空気圧縮器を介して実現されねばならない差圧を必要としない。
【０００８】
この発明による方法を実施する装置、即ち燃料電池は、陽極、陰極及び電解質膜（陽極と陰極との間）の他に、この陽極と陰極に各１つの多孔質の導電性膜を備え、この膜は陰極側（ガス透過膜）では疎水性であり、少なくともその表面に陽極側の膜より小さい孔サイズを持っている。このようにしてガス透過膜は液状の水に対するバリヤを形成している。
【０００９】
このガス透過膜は特に陰極に接する表面に陽極側の膜より小さい孔サイズを持つのがよい。このような構成は例えば非対称の孔構造を有するガス透過膜によって実現することができる。これにより、反応ガスの陰極への移送が比較的僅かにしか阻害されないという利点が生ずる。このことは特に空気を使用する場合に重要である。
【００１０】
このガス透過膜は特定の孔サイズを持つ規格化された膜の形で実現することができる。しかしながら、これはまた、燃料電池に通常設けられる導電性の膜と陰極との間に薄いバリヤ膜、即ち特定の孔サイズを持つ膜を配置するように、膜を積み重ねて構成することもできる。このような構造もまた、実現性が容易である他に、反応ガスの移送に対する阻害が小さいという利点を持っている。
【００１１】
このガス透過膜は特に炭素のエーロゲル或いはキセロゲルからなるのがよい。導電性のこのような膜は、比較的簡単に、水の透過を阻止するために、必要な特定の孔サイズで作ることができる。
【００１２】
炭素のエーロゲルもしくはキセロゲル自体は公知である（例えばドイツ特許出願公開第１９５２３３８２号明細書を参照）。これらは、例えば熱分解によって有機化合物をベースにしたエーロゲルから作られる。エーロゲルもしくはキセロゲルとして特にレゾルシン及びホルムアルデヒド（モノマーとして）をベースとするものが使用される。レゾルシン（１，３−ジヒドロキシベンゼン）の他に、また他のフェノール化合物、例えばフェノールそれ自体及び他のジヒドロキシベンゼン、即ちピロカテキン及びヒドロキノン、並びに、例えばピロガロールやフロログルシンのようなトリジヒドロキシベンゼン、さらにビスフェノールＡも使用することができる。フェノール環はその他の置換基、例えばアルキル群、−ＣＨ2ＯＨのような置換されたアルキル群、及びカルボキシル群を持つことができる。即ち、例えばアルキルフェノールやジヒドロキシベンゾイン酸のような化合物も使用することができる。フェノール成分の代りにメラミンのような化合物も使用することができる。さらに、ホルムアルデヒドは他のアルデヒド、例えばフルフラール（α−フルフリルアルデヒド）によって代替することができる。
【００１３】
エーロゲルもしくはキセロゲルは有利なことに支持骨組みを持っている。これにより比較的薄い膜の機械的安定性が向上する。この骨組みは特に少なくとも部分的に、有機物からなるのがよい。これについては特にセルローズ、ポリアミド、ポリエステル及びフェノール樹脂（特にノボラック）が挙げられる。この有機物は多孔質の膜並びに可撓性の繊維フリース及び繊維織布の形で存在する。この支持骨組みはしかしまた無機物、特に炭素、酸化アルミニウム、二酸化ジルコニウム或いは二酸化ケイ素の繊維とすることもできる。
【００１４】
ガス透過膜は例えばしかしまたその陰極側の表面が疎水性、即ち液体バリヤとして機能し、特定の孔サイズを持っているカーボンペーパー或いはカーボン織布からなることもできる。そのために、表面には例えば導電性の煤微粉及び／又はポリテトラフルオロエチレン（ＰＴＥＥ）が入れられる。
【００１５】
陽極側の多孔質の膜は、通常ＰＥＭ燃料電池において使用されるカーボンペーパー或いはカーボン織布とすることができる。この膜も同様に疎水性であり、ガス透過膜と同様に、一般に１００〜３００μｍの膜厚を持っている。基本的にはこの膜はできるだけ薄いのが望まれるが、しかしその場合でも機械的な取扱い性は保証されねばならない。
【００１６】
実施例に基づいてこの発明をなお詳しく説明する。
【００１７】
ガス透過膜を作るために４０％のホルムアルデヒド溶液１０ｇにレゾルシン７．３ｇが混合され、これに０．１ｎのナトリウムカーボネート溶液０．９ｇと水２０ｇが加えられる。この溶液をセルローズ膜に含浸させ、しかる後この膜はサンドイッチ状に、２つの平行なガラス板の間に挟まれ、閉鎖された容器に約２４時間空気を絶って室温に放置された。この場合、ガラス板にはで適当な方法で、例えばばねにより、約５０バールの押圧力が加えられる。さらに凡そ２４時間約５０℃で放置した後この試料はゲル化する。この試料をさらに凡そ２４時間約９０℃の温度でエージングし、次いで孔の液体、即ち水をアセトンで置換する。次に、この試料を約５０℃の温度で臨界以下に乾燥する。この時、孔に含まれている水は蒸発する。その際、キセロゲルが得られる。この試料がエージング後二酸化炭素を備えたオートクレーブにおいて臨界以上に乾燥されると、エーロゲルが得られる。その後、乾燥された試料を約１０５０℃で、メタンを５％含むアルゴン雰囲気中で熱分解する（時間：凡そ２時間）。
【００１８】
このようにして作られた試料は既に疎水性特性を持っている。付加的な疎水性が望まれる或いは必要な場合には、例えば、試料に含浸されるＰＴＥＥ溶液によりこれを行う。
【００１９】
この方法で、機械的に安定した疎水性のガス透過膜が炭素エーロゲルもしくはキセロゲルとセルローズ膜とが結合した形で得られる。孔サイズが≦１０μｍである（最小サイズ：約５０ｎｍ）この結合体の表面は凡そ３〜４μｍの厚さの滑らかな被膜で覆われ、その被膜は孔サイズ≦３０ｎｍを持っている（検査に使用された走査型電子顕微鏡の分解能限界）。一般に、１〜５μｍである被膜の厚さは押圧力によってゲル化の際に調整される。この圧力は凡そ２０〜１００ミリバールである。
【００２０】
この発明の方法を実施するための燃料電池の実施例（有効電極面積：３ｃｍ2）は以下の構造を持っている。陽極ユニットと陰極ユニットとの間に市販のナフィオン膜が配置されている。陽極ユニットは白金触媒を備えたカーボンペーパーからなる。陰極ユニットは上述の方法で作られた疎水性微細多孔質エーロゲルもしくはキセロゲルの膜からなり、その膜の上に白金触媒が設けられている。
【００２１】
この燃料電池は乾燥した反応ガスを備えたＨ2／Ｏ2セルとして約８０℃で運転された。陰極側でこのセルは、使用される酸素の純度に応じて、周期的に洗浄された。反応水は陽極側で水素流（λ≧２）によって洗浄された。この条件で燃料電池は異常なく凡そ４００ｍＡ／ｃｍ2の一定負荷で運転された。セル電圧はその場合凡そ７２０ｍＶであった。